(57)【要約】【課題】共振周波数やインピーダンスの調整が容易なデュアルバンドパッチアンテナを提供する。【解決手段】開口部２１を有するグランドパターン２０と、開口部２１を貫通して設けられたピラー状の垂直給電導体５０と、垂直給電導体に接続された第１及び第２の水平給電導体３１，４１と、グランドパターン２０と重なる第１及び第２の放射導体３０，４０とを備え、第１の放射導体３０は所定の辺に接続された第１の水平給電導体３１を介して垂直給電導体に接続され、第２の放射導体４０は所定の辺に接続された第２の水平給電導体４１を介して垂直給電導体５０に接続され。このように、垂直給電導体から２つの水平給電導体に分岐し、分岐した水平給電導体にそれぞれ放射導体が接続されることから、一方の放射導体のサイズや形状を変化させても、他方の放射導体における共振周波数やインピーダンスの変化が抑えられ、共振周波数やインピーダンスの調整が容易となる。【選択図】図１
2019009543.tif 000002
【特許請求の範囲】
【請求項１】
開口部を有するグランドパターンと、
前記開口部を貫通して設けられたピラー状の垂直給電導体と、
前記垂直給電導体に接続された第１及び第２の水平給電導体と、
前記グランドパターンと重なる第１及び第２の放射導体と、を備え、
前記第１の放射導体は、所定の辺に接続された前記第１の水平給電導体を介して前記垂直給電導体に接続され、
前記第２の放射導体は、所定の辺に接続された前記第２の水平給電導体を介して前記垂直給電導体に接続されることを特徴とするデュアルバンドパッチアンテナ。
【請求項２】
前記第１の水平給電導体の延在方向と前記第２の水平給電導体の延在方向は、互いに９０°異なることを特徴とする請求項１に記載のデュアルバンドパッチアンテナ。
【請求項３】
前記第１及び第２の放射導体は、第１の方向に沿って延在する辺と、前記第１の方向と直交する第２の方向に沿って延在する辺とを有し、
前記第１の水平給電導体は、前記第１の放射導体の前記第１の方向に沿って延在する辺に接続され、
前記第２の水平給電導体は、前記第２の放射導体の前記第２の方向に沿って延在する辺に接続されることを特徴とする請求項２に記載のデュアルバンドパッチアンテナ。
【請求項４】
前記第１の放射導体と前記第２の放射導体は、平面視で、前記第１及び第２の方向のいずれにも互いに重なりを有していないことを特徴とする請求項３に記載のデュアルバンドパッチアンテナ。
【請求項５】
前記グランドパターンと前記第１の放射導体の距離は、前記グランドパターンと前記第２の放射導体の距離と異なることを特徴とする請求項１乃至４のいずれか一項に記載のデュアルバンドパッチアンテナ。
【請求項６】
前記グランドパターンと前記第１の放射導体の距離は、前記第１の放射導体から放射される第１のアンテナ共振信号の波長以下であり、
前記グランドパターンと前記第２の放射導体の距離は、前記第２の放射導体から放射される第２のアンテナ共振信号の波長以下であることを特徴とする請求項５に記載のデュアルバンドパッチアンテナ。
【請求項７】
前記第１の放射導体から見て前記グランドパターンとは反対側に位置し、前記第１の放射導体と重なるよう、前記第１の放射導体と平行に配置された第１の励振導体と、
前記第２の放射導体から見て前記グランドパターンとは反対側に位置し、前記第２の放射導体と重なるよう、前記第２の放射導体と平行に配置された第２の励振導体と、をさらに備えることを特徴とする請求項１乃至６のいずれか一項に記載のデュアルバンドパッチアンテナ。
【請求項８】
前記第１及び第２の励振導体はフローティング状態であることを特徴とする請求項７に記載のデュアルバンドパッチアンテナ。
【請求項９】
前記第１の放射導体と前記第１の励振導体の距離は、前記第２の放射導体と前記第２の励振導体の距離と異なることを特徴とする請求項８に記載のデュアルバンドパッチアンテナ。
【請求項１０】
前記グランドパターンに設けられた別の開口部を貫通して設けられたピラー状の別の垂直給電導体と、
前記別の垂直給電導体に接続された第３及び第４の水平給電導体と、をさらに備え、
前記第１の放射導体は、前記所定の辺とは異なる辺に接続された前記第３の水平給電導体を介して前記別の垂直給電導体にさらに接続され、
前記第２の放射導体は、前記所定の辺とは異なる辺に接続された前記第４の水平給電導体を介して前記別の垂直給電導体にさらに接続されることを特徴とする請求項１乃至９のいずれか一項に記載のデュアルバンドパッチアンテナ。
【請求項１１】
前記第１の放射導体に対する前記第１及び第３の水平給電導体の接続方向は互いに９０°異なっており、
前記第２の放射導体に対する前記第２及び第４の水平給電導体の接続方向は互いに９０°異なっていることを特徴とする請求項１０に記載のデュアルバンドパッチアンテナ。
【請求項１２】
前記垂直給電導体、前記第１及び第２の水平給電導体、並びに、前記第１及び第２の放射導体は、誘電体材料によって埋め込まれていることを特徴とする請求項１乃至１１のいずれか一項に記載のデュアルバンドパッチアンテナ。
【発明の詳細な説明】
【技術分野】
【０００１】
本発明は、２つの周波数帯域において通信が可能なデュアルバンドパッチアンテナに関する。
【背景技術】
【０００２】
特許文献１〜３には、２つの周波数帯域において通信が可能なデュアルバンドパッチアンテナが開示されている。例えば、特許文献１には平板状の放射導体と環状の放射導体からなるデュアルバンドパッチアンテナが開示され、特許文献２には２つの放射導体の一部を共通化したデュアルバンドパッチアンテナが開示されている。また、特許文献３には、給電ラインを途中で分岐させ、分岐させた給電ラインをそれぞれ異なる放射導体に接続する構成が開示されている。
【先行技術文献】
【特許文献】
【０００３】
【特許文献１】特表２０１５−５０２７２３号公報
【特許文献２】特開２００７−０６０６０９号公報
【特許文献３】特開２００２−２９９９４８号公報
【発明の概要】
【発明が解決しようとする課題】
【０００４】
しかしながら、特許文献１〜３に記載されたデュアルバンドパッチアンテナは、２つの放射導体が相互に干渉するため、一方の放射導体のサイズや形状を変化させると他方の放射導体における共振周波数やインピーダンスが大きく変化してしまう。このため、個々の放射導体について共振周波数やインピーダンスを調整することが難しいという問題があった。
【０００５】
したがって、本発明の目的は、共振周波数やインピーダンスの調整が容易なデュアルバンドパッチアンテナを提供することである。
【課題を解決するための手段】
【０００６】
本発明によるデュアルバンドパッチアンテナは、開口部を有するグランドパターンと、前記開口部を貫通して設けられたピラー状の垂直給電導体と、前記垂直給電導体に接続された第１及び第２の水平給電導体と、前記グランドパターンと重なる第１及び第２の放射導体と、を備え、前記第１の放射導体は、所定の辺に接続された前記第１の水平給電導体を介して前記垂直給電導体に接続され、前記第２の放射導体は、所定の辺に接続された前記第２の水平給電導体を介して前記垂直給電導体に接続されることを特徴とする。
【０００７】
本発明によれば、垂直給電導体から２つの水平給電導体に分岐し、分岐した水平給電導体にそれぞれ放射導体が接続されることから、一方の放射導体のサイズや形状を変化させても、他方の放射導体における共振周波数やインピーダンスの変化が抑えられる。これにより、従来のデュアルバンドパッチアンテナと比べ、共振周波数やインピーダンスの調整が容易となる。しかも、放射導体の辺に水平給電導体が接続される構成であることから、給電ラインをシンプルにすることができる。これにより、共振周波数がミリ波帯である場合のように、配線長や配線位置などパターンの僅かな変更によってアンテナ特性が大きく変化する場合であっても、設計が容易となる。
【０００８】
本発明において、第１の水平給電導体の延在方向と第２の水平給電導体の延在方向は、互いに９０°異なっていても構わない。これによれば、第１の放射導体と第２の放射導体間における干渉を低減することが可能となる。
【０００９】
本発明において、第１及び第２の放射導体は、第１の方向に沿って延在する辺と、第１の方向と直交する第２の方向に沿って延在する辺とを有し、第１の水平給電導体は第１の放射導体の第１の方向に沿って延在する辺に接続され、第２の水平給電導体は第２の放射導体の第２の方向に沿って延在する辺に接続されても構わない。これによれば、第１の放射導体から放射されるビームの振動方向と第２の放射導体から放射されるビームの振動方向を直交させることが可能となる。
【００１０】
本発明において、第１の放射導体と第２の放射導体は、平面視で、第１及び第２の方向のいずれにも互いに重なりを有していなくても構わない。これによれば、第１の放射導体と第２の放射導体間における干渉をよりいっそう低減することが可能となる。
【００１１】
本発明において、グランドパターンと第１の放射導体の距離は、グランドパターンと第２の放射導体の距離と異なっていても構わない。本発明では、第１の放射導体と第２の放射導体が別個に設けられていることから、グランドパターンとの間の距離を個別に設定することが可能となる。
【００１２】
本発明において、グランドパターンと第１の放射導体の距離は、第１の放射導体から放射される第１のアンテナ共振信号の波長以下であり、グランドパターンと第２の放射導体の距離は、第２の放射導体から放射される第２のアンテナ共振信号の波長以下であっても構わない。これによれば、全体の厚みを薄くすることができるとともに、高い放射効率を得ることが可能となる。
【００１３】
本発明によるデュアルバンドパッチアンテナは、第１の放射導体から見てグランドパターンとは反対側に位置し、第１の放射導体と重なるよう、第１の放射導体と平行に配置された第１の励振導体と、第２の放射導体から見てグランドパターンとは反対側に位置し、第２の放射導体と重なるよう、第２の放射導体と平行に配置された第２の励振導体と、をさらに備えていても構わない。これによれば、励振導体が放射導体によって励振されることから、アンテナ特性を向上させることが可能となる。
【００１４】
本発明において、第１及び第２の励振導体はフローティング状態であっても構わない。これによれば、アンテナ帯域を広帯域化することが可能となる。
【００１５】
本発明において、第１の放射導体と第１の励振導体の距離は、第２の放射導体と第２の励振導体の距離と異なっていても構わない。このように、励振導体によるアンテナ特性の調整は、個別に行うことが可能である。
【００１６】
本発明によるデュアルバンドパッチアンテナは、グランドパターンに設けられた別の開口部を貫通して設けられたピラー状の別の垂直給電導体と、別の垂直給電導体に接続された第３及び第４の水平給電導体と、をさらに備え、第１の放射導体は所定の辺とは異なる辺に接続された第３の水平給電導体を介して別の垂直給電導体にさらに接続され、第２の放射導体は所定の辺とは異なる辺に接続された第４の水平給電導体を介して別の垂直給電導体にさらに接続されていても構わない。これによれば、１つの放射導体に複数の給電信号を入力することが可能となる。
【００１７】
本発明において、第１の放射導体に対する第１及び第３の水平給電導体の接続方向は互いに９０°異なっており、第２の放射導体に対する第２及び第４の水平給電導体の接続方向は互いに９０°異なっていても構わない。これによれば、２偏波アンテナを構成することが可能となる。
【００１８】
本発明において、垂直給電導体、第１及び第２の水平給電導体、並びに、第１及び第２の放射導体は、誘電体材料によって埋め込まれていても構わない。これによれば、誘電体の波長短縮効果によって全体のサイズを小型化することが可能となる。
【発明の効果】
【００１９】
このように、本発明によれば、共振周波数やインピーダンスの調整が容易なデュアルバンドパッチアンテナを提供することが可能となる。
【図面の簡単な説明】
【００２０】
【図１】図１は、本発明の第１の実施形態によるデュアルバンドパッチアンテナ１０Ａの構成を示す略斜視図である。
【図２】図２は、デュアルバンドパッチアンテナ１０Ａの平面図である。
【図３】図３は、デュアルバンドパッチアンテナ１０Ａを図２に示す矢印Ａ方向から見た側面図である。
【図４】図４は、第１及び第２の放射導体３０，４０から放射されるビームの振動方向を説明するための図である。
【図５】図５は、本発明の第２の実施形態によるデュアルバンドパッチアンテナ１０Ｂの構成を示す略斜視図である。
【図６】図６は、デュアルバンドパッチアンテナ１０Ｂの側面図である。
【図７】図７は、本発明の第３の実施形態によるデュアルバンドパッチアンテナ１０Ｃの構成を示す略平面図である。
【図８】図８は、本発明の第４の実施形態によるデュアルバンドパッチアンテナ１０Ｄの構成を示す略平面図である。
【発明を実施するための形態】
【００２１】
以下、添付図面を参照しながら、本発明の好ましい実施形態について詳細に説明する。
【００２２】
＜第１の実施形態＞
図１は、本発明の第１の実施形態によるデュアルバンドパッチアンテナ１０Ａの構成を示す略斜視図である。また、図２はデュアルバンドパッチアンテナ１０Ａの平面図であり、図３はデュアルバンドパッチアンテナ１０Ａを図２に示す矢印Ａ方向から見た側面図である。
【００２３】
図１〜図３に示すように、本実施形態によるデュアルバンドパッチアンテナ１０Ａは、平板状のグランドパターン２０と、グランドパターン２０と重なるように設けられた第１及び第２の放射導体３０，４０を備えている。グランドパターン２０は、第１の導体層Ｌ１に設けられたベタパターンであり、ｘｙ平面を構成する。グランドパターン２０には開口部２１が形成されており、この部分においてグランドパターン２０が除去されている。そして、開口部２１を貫通するように垂直給電導体５０が設けられている。図３に示すように、垂直給電導体５０はｚ方向に延在するピラー状の導体であり、デュアルバンドパッチアンテナ１０Ａの外部に設けられたＲＦ回路１００に接続される。
【００２４】
垂直給電導体５０は、グランドパターン２０が形成される第１の導体層Ｌ１を貫通し、その上層に位置する第２及び第３の導体層Ｌ２，Ｌ３に達している。第２の導体層Ｌ２には、第１の放射導体３０及び第１の水平給電導体３１が形成されており、第１の放射導体３０は第１の水平給電導体３１を介して垂直給電導体５０に接続される。また、第３の導体層Ｌ３には、第２の放射導体４０及び第２の水平給電導体４１が形成されており、第２の放射導体４０は第２の水平給電導体４１を介して垂直給電導体５０に接続される。このように、垂直給電導体５０は第１及び第２の放射導体３０，４０に対して共通の給電導体として用いられ、ここから第１及び第２の水平給電導体３１，４１に分岐し、それぞれ第１及び第２の放射導体３０，４０に給電される。
【００２５】
各導体層Ｌ１〜Ｌ３は、誘電体材料からなる絶縁層７０の表面に形成されている。これにより、少なくとも垂直給電導体５０、第１及び第２の水平給電導体３１，４１、並びに、第１及び第２の放射導体３０，４０は、誘電体材料によって埋め込まれた構造を有している。誘電体材料としては、セラミックや液晶ポリマーなど、高周波特性に優れた材料を選択することが好ましい。
【００２６】
第１の放射導体３０と第２の放射導体４０の平面形状はいずれも略正方形であるが、その平面サイズは互いに異なっている。具体的には、第１の放射導体３０の方が第２の放射導体４０よりも平面サイズが小さく、これにより、第１の放射導体３０が高周波帯域用の放射導体として用いられ、第２の放射導体４０が低周波帯域用の放射導体として用いられる。
【００２７】
本実施形態においては、第１の放射導体３０が第２の導体層Ｌ２に設けられ、第２の放射導体４０が第３の導体層Ｌ３に設けられているため、グランドパターン２０と第１の放射導体３０のｚ方向における距離Ｔ１は、グランドパターン２０と第２の放射導体４０のｚ方向における距離Ｔ２よりも短い。ここで、高い放射効率を得るためには、距離Ｔ１は第１の放射導体３０から放射される第１のアンテナ共振信号の波長以下であり、距離Ｔ２は第２の放射導体４０から放射される第２のアンテナ共振信号の波長以下であることが好ましい。これによれば、デュアルバンドパッチアンテナ１０Ａのｚ方向における厚みを薄くすることも可能となる。
【００２８】
但し、本発明において距離Ｔ１が距離Ｔ２よりも短いことは必須でなく、目的とするアンテナ特性に応じて距離Ｔ１，Ｔ２を設計すればよい。また、第１の放射導体３０と第２の放射導体４０を同じ導体層に形成しても構わない。しかしながら、アンテナ特性を個別に調整可能とするためには、第１の放射導体３０と第２の放射導体４０を異なる導体層に形成することが好ましい。
【００２９】
本実施形態においては、第１の水平給電導体３１がｙ方向に延在しており、これにより垂直給電導体５０から見てｙ方向に位置する第１の放射導体３０が第１の水平給電導体３１を介して垂直給電導体５０と接続される。一方、第２の水平給電導体４１はｘ方向に延在しており、これにより垂直給電導体５０から見てｘ方向に位置する第２の放射導体４０が第２の水平給電導体４１を介して垂直給電導体５０と接続される。このように、本実施形態においては、第１の水平給電導体３１の延在方向と第２の水平給電導体４１の延在方向が互いに９０°異なっており、第１の水平給電導体３１については第１の放射導体３０のｘ方向に延在する辺に接続され、第２の水平給電導体４１については第２の放射導体３０のｙ方向に延在する辺に接続される。
【００３０】
これにより、図４に示すように、第１の放射導体３０から放射されるビームの振動方向Ｐｙはｙ方向となり、第２の放射導体４０から放射されるビームの振動方向Ｐｘはｘ方向となる。このように、本実施形態においては、第１の放射導体３０から放射されるビームの振動方向と第２の放射導体４０から放射されるビームの振動方向が直交することから、相互干渉が生じにくくなる。これにより、一方の放射導体の形状、位置、サイズなどを変更しても、他方の放射導体のアンテナ特性が大きく変化しないため、設計が容易となる。
【００３１】
特に、図４に示すように、第１の放射導体３０のｘ方向における配置範囲Ａｘが平面視で第２の放射導体４０と重ならず、且つ、第２の放射導体４０のｙ方向における配置範囲Ａｙが平面視で第１の放射導体３０と重ならないよう、第１及び第２の放射導体３０，４０をレイアウトすることが好ましい。つまり、第１の放射導体３０と第２の放射導体４０は、平面視でｘ方向及びｙ方向のいずれにも互いに重なりを有していないことが好ましい。これによれば、相互干渉がより少なくなることから、設計がより容易となる。
【００３２】
このように、本実施形態によるデュアルバンドパッチアンテナ１０Ａは、第１の放射導体３０と第２の放射導体４０が互いに独立して設けられていることから、一方の放射導体のサイズや形状などを変化させても、他方の放射導体の共振周波数やインピーダンスの変化が抑えられる。これにより、従来のデュアルバンドパッチアンテナと比べ、共振周波数やインピーダンスなどのアンテナ特性の調整がしやすいため、設計が容易となる。特に、本実施形態によるデュアルバンドパッチアンテナ１０Ａにおいては、第１の水平給電導体３１と第２の水平給電導体４１の延在方向が９０°異なっており、且つ、第１の放射導体３０と第２の放射導体４０がｘ方向及びｙ方向のいずれにも互いに重なりを有していないことから、相互干渉を大幅に低減することが可能となる。
【００３３】
また、第１及び第２の放射導体３０，４０はいずれも垂直給電導体５０から共通に給電されることから、本実施形態によるデュアルバンドパッチアンテナ１０ＡとＲＦ回路１００を接続する給電ラインを１本とすることができる。これにより、デュアルバンドパッチアンテナ１０Ａの外部における給電ラインの設計も容易となる。しかも、第１及び第２の放射導体３０，４０の辺にそれぞれ第１及び第２の水平給電導体３１，４１が接続される構成であることから、給電ラインをシンプルにすることができる。
【００３４】
このような効果は、共振周波数がミリ波帯である場合のように、配線長や配線位置などパターンの僅かな変更によってアンテナ特性が大きく変化する用途において特に顕著であり、設計負担が大幅に軽減されるものと期待される。
有用である。
【００３５】
＜第２の実施形態＞
図５は、本発明の第２の実施形態によるデュアルバンドパッチアンテナ１０Ｂの構成を示す略斜視図である。また、図６は、デュアルバンドパッチアンテナ１０Ｂの側面図である。
【００３６】
図５及び図６に示すように、本実施形態によるデュアルバンドパッチアンテナ１０Ｂは、第１及び第２の励振導体３２，４２をさらに備える点において、第１の実施形態によるデュアルバンドパッチアンテナ１０Ａと相違している。その他の構成は第１の実施形態によるデュアルバンドパッチアンテナ１０Ａと基本的に同一であることから、同一の要素には同一の符号を付し、重複する説明は省略する。
【００３７】
第１の励振導体３２は、第１の放射導体３０から見てグランドパターン２０とは反対側に位置する第４の導体層Ｌ４に形成された平板状の導体であり、第１の放射導体３０とｚ方向に重なるよう、第１の放射導体３０と平行に配置される。つまり、第１の励振導体３２もｘｙ平面を有し、第１の励振導体３２とグランドパターン２０によって第１の放射導体３０が挟まれた構造を有している。本実施形態においては第１の放射導体３０と第１の励振導体３２の平面サイズが同じである。
【００３８】
第２の励振導体４２は、第２の放射導体４０から見てグランドパターン２０とは反対側に位置する第５の導体層Ｌ５に形成された平板状の導体であり、第２の放射導体４０とｚ方向に重なるよう、第２の放射導体４０と平行に配置される。つまり、第２の励振導体４２もｘｙ平面を有し、第２の励振導体４２とグランドパターン２０によって第２の放射導体４０が挟まれた構造を有している。本実施形態においては第２の放射導体４０と第２の励振導体４２の平面サイズが同じである。
【００３９】
第１及び第２の励振導体３２，４２は、どの配線にも接続されることのないフローティング状態であり、それぞれ第１及び第２の放射導体３０，４０から放射される電磁波によって励振される。これにより、第１及び第２の励振導体３２，４２からも電磁波が放射されることから、アンテナ帯域を広帯域化することが可能となる。第１及び第２の励振導体３２，４２の平面サイズや、第１の励振導体３２と第１の放射導体３０との距離Ｔ３、第２の励振導体４２と第２の放射導体４０との距離Ｔ４については、第１及び第２の励振導体３２，４２に求められる放射特性に応じて設計すればよい。
【００４０】
本実施形態においては、第１の放射導体３０及び第１の励振導体３２がそれぞれ第２及び第４の導体層Ｌ２，Ｌ４に設けられており、両者のｚ方向における距離はＴ３である。また、第２の放射導体４０及び第２の励振導体４２がそれぞれ第３及び第５の導体層Ｌ３，Ｌ５に設けられており、両者のｚ方向における距離はＴ４である。本実施形態においては距離Ｔ３が距離Ｔ４よりも短いが、この点は必須でなく、目的とするアンテナ特性に応じて距離Ｔ３，Ｔ４を設計すればよい。また、高い放射効率を得るためには、距離Ｔ３は第１の放射導体３０から放射される第１のアンテナ共振信号の波長以下であり、距離Ｔ４は第２の放射導体４０から放射される第２のアンテナ共振信号の波長以下であることが好ましい。
【００４１】
＜第３の実施形態＞
図７は、本発明の第３の実施形態によるデュアルバンドパッチアンテナ１０Ｃの構成を示す略平面図である。
【００４２】
図７に示すように、本実施形態によるデュアルバンドパッチアンテナ１０Ｃは、別の垂直給電導体６０と、第３及び第４の水平給電導体３３，４３をさらに備えている。垂直給電導体６０は、グランドパターン２０に設けられた別の開口部２２を貫通して設けられたピラー状の導体であり、垂直給電導体５０と同様、ＲＦ回路１００に接続される。その他の構成は第１の実施形態によるデュアルバンドパッチアンテナ１０Ａと同一であることから、同一の要素には同一の符号を付し、重複する説明は省略する。
【００４３】
第３の水平給電導体３３はｘ方向に延在しており、これにより垂直給電導体６０から見てｘ方向に位置する第１の放射導体３０が第３の水平給電導体３３を介して垂直給電導体６０と接続される。一方、第４の水平給電導体４３はｙ方向に延在しており、これにより垂直給電導体６０から見てｙ方向に位置する第２の放射導体４０が第４の水平給電導体４３を介して垂直給電導体６０と接続される。このように、本実施形態においては、第３の水平給電導体３３の延在方向と第４の水平給電導体４３の延在方向が互いに９０°異なっており、第３の水平給電導体３３については第１の放射導体３０のｙ方向に延在する辺に接続され、第４の水平給電導体４３については第２の放射導体３０のｘ方向に延在する辺に接続される。
【００４４】
これにより、第１及び第２の放射導体３０，４０のいずれに対しても、互いに位相の異なる２つの給電信号を供給できることから、第１及び第２の放射導体３０，４０を２偏波アンテナとして利用することが可能となる。
【００４５】
＜第４の実施形態＞
図８は、本発明の第４の実施形態によるデュアルバンドパッチアンテナ１０Ｄの構成を示す略平面図である。
【００４６】
図８に示すように、本実施形態によるデュアルバンドパッチアンテナ１０Ｄは、垂直給電導体５０，６０の平面位置が第３のデュアルバンドパッチアンテナ１０Ｃと異なっており、これに伴って第１〜第４の水平給電導体３１，４１，３３，４３が変形されている点において、第３のデュアルバンドパッチアンテナ１０Ｃと相違する。その他の構成は第３の実施形態によるデュアルバンドパッチアンテナ１０Ｃと同一であることから、同一の要素には同一の符号を付し、重複する説明は省略する。
【００４７】
本実施形態によるデュアルバンドパッチアンテナ１０Ｄが例示するように、第１〜第４の水平給電導体３１，４１，３３，４３がすべて直線的であることは必須でなく、一部の水平給電導体が途中で折れ曲がる形状を有していても構わない。
【００４８】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００４９】
例えば、上述した各実施形態では２つの放射導体を有するデュアルバンドパッチアンテナを例に説明したが、３以上の放射導体を設けることによって３バンド以上のアンテナを構成することも可能である。
【符号の説明】
【００５０】
１０Ａ，１０Ｂ，１０Ｃ，１０Ｄ    デュアルバンドパッチアンテナ
２０    グランドパターン
２１，２２    開口部
３０    第１の放射導体
３１    第１の水平給電導体
３２    第１の励振導体
３３    第３の水平給電導体
４０    第２の放射導体
４１    第２の水平給電導体
４２    第２の励振導体
４３    第４の水平給電導体
５０，６０    垂直給電導体
７０    絶縁層
１００    ＲＦ回路
Ａｘ，Ａｙ    配置範囲
Ｌ１〜Ｌ５    導体層
Ｐｘ，Ｐｙ    振動方向
【図１】
2019009543.tif 000003
【図２】
2019009543.tif 000004
【図３】
2019009543.tif 000005
【図４】
2019009543.tif 000006
【図５】
2019009543.tif 000007
【図６】
2019009543.tif 000008
【図７】
2019009543.tif 000009
【図８】
2019009543.tif 000010